(57)【特許請求の範囲】
【請求項１】
装置本体と、その装置本体の上部に、装置本体に対して開閉可能に設けられた開閉部を備え、前記装置本体は、原稿をセットする原稿台と、その原稿台から繰り出される原稿の下面を支持して案内するように配置され、原稿搬送路を形成する下側原稿ガイドと、その下側原稿ガイドから外周面の一部を上方に突出させるように且つ原稿搬送方向の上流側から順に配置された給紙ローラ、送りローラ及び排出ローラと、前記送りローラと排出ローラの間で原稿下面を読み取るように配置された読取手段を有しており、前記開閉部は、それを前記装置本体に対して閉位置とした時に、前記下側原稿ガイドの上方に位置してその下側原稿ガイドと共に原稿搬送路を形成する上側原稿ガイドと、前記給紙ローラに押し付けられるように設けられた分離片と、前記送りローラ及び排出ローラにそれぞれ押し付けられるように設けられた押えローラを有しており、更に、前記開閉部が、前記上側原稿ガイドを前記下側原稿ガイドの上流に上向きに位置させることができるように、前記給紙ローラよりも上流に位置する支点を中心として閉位置より約１２０°以上開くことの可能な構成とし、その開閉部を開いた状態において上側原稿ガイドから上方に突出している分離片の両側に、一対の分離片保護部材を、その一部が前記上側原稿ガイドから上方に、前記分離片の突出した大きさを越えて突出するように設けることを特徴とする原稿読取装置。
【請求項２】
装置本体と、その装置本体の上部に、装置本体に対して開閉可能に設けられた開閉部を備え、前記装置本体は、原稿をセットする原稿台と、その原稿台から繰り出される原稿の下面を支持して案内するように配置され、原稿搬送路を形成する下側原稿ガイドと、その下側原稿ガイドから外周面の一部を上方に突出させるように且つ原稿搬送方向の上流側から順に配置された給紙ローラ、送りローラ及び排出ローラと、前記送りローラと排出ローラの間で原稿下面を読み取るように配置された読取手段を有しており、前記開閉部は、それを前記装置本体に対して閉位置とした時に、前記下側原稿ガイドの上方に位置してその下側原稿ガイドと共に原稿搬送路を形成する上側原稿ガイドと、前記給紙ローラに押し付けられるように設けられた分離片と、前記送りローラ及び排出ローラにそれぞれ押し付けられるように設けられた押えローラを有しており、更に、前記開閉部が、前記上側原稿ガイドを前記下側原稿ガイドの上流に上向きに位置させることができるように、前記給紙ローラよりも上流に位置する支点を中心として閉位置より約１２０°以上開くことの可能な構成とし、前記下側原稿ガイドを、送りローラを配置した部分を頂点とする山型形状としたことを特徴とする原稿読取装置。
【請求項３】
原稿が読取点近傍に到達したことを検知するＢ点センサのアクチュエータを、回動支点が前記送りローラの上流側に位置し、原稿に接触する部分が前記送りローラの下流側に延びる構成としたことを特徴とする請求項２記載の原稿読取装置。
【請求項４】
前記原稿台上にセットした原稿で回動させられるアクチュエータを備え、原稿台上の原稿の有無を検出するＡ点センサを、開閉部に設けたことを特徴とする請求項１から３のいずれか１項に記載の原稿読取装置。
【発明の詳細な説明】
【０００１】
【発明の属する技術分野】
本発明は、ファクシミリなどのように原稿を読み取る機能を備えた装置（本明細書では原稿読取装置と総称する）に関する。
【０００２】
【従来の技術】
従来、ファクシミリなどの原稿読取装置は、複数枚の原稿をセットする原稿台と、その原稿台上の原稿を１枚ずつ分離して給紙する給紙装置と、給紙された原稿を所定の速度で搬送する送りローラと、その送りローラで搬送されている原稿を読み取る読取手段と、読取済の原稿を排出する排出ローラと、これらの各ローラで搬送される原稿の上下面をガイドするように配置され、原稿搬送路を形成する上下の原稿ガイド等を備えており、原稿を１枚ずつ所定の原稿搬送路を走行させ、原稿読取を行っていた。
【０００３】
【発明が解決しようとする課題】
しかし、かかる構成では、原稿搬送路に通すことができない原稿、例えば本のように厚い原稿の読取を行うことができないという問題点があった。
【０００４】
この問題を解決するため、読取手段をユニット化して本体から取り外し可能としておき、本等の読取を行う場合には、その読取ユニットを本体から取り外し、手で持って本等の原稿上を移動走査させて読取を行う方式のものが開発されている。しかし、このような方式では、本体から取り外し可能な読取ユニットを設ける必要があるため、装置が複雑化し、また操作性も悪いという問題があった。
【０００５】
本発明は、上述の問題点に鑑みて為されたもので、原稿を原稿搬送路に走行させて読取を行う方式の原稿読取装置において、簡単な構成で且つ容易に本等の厚い原稿の読取を行うことの可能な原稿読取装置を提供することを目的とする。
【０００６】
【課題を解決するための手段】
本発明は上記問題点を解決するため、給紙ローラ、送りローラ、排出ローラ及び上下に配置された原稿ガイドによって構成される原稿搬送路を、上下に分割可能とし、上側の部分を、給紙ローラよりも上流位置を支点として約１２０°以上回動可能な開閉部に保持させ、その開閉部を開いた時には原稿搬送路の下側の部分の上流に上側の部分を上向きとして位置させることができる構成とし、その開閉部を開いた状態において上側原稿ガイドから上方に突出している分離片の両側に、一対の分離片保護部材を、その一部が前記上側原稿ガイドから上方に、前記分離片の突出した大きさを越えて突出するように設けるものである。本発明はこの構成により、開閉部を閉じた時には、通常通り原稿を搬送して読取を行うことができ、また、開閉部を開いた時には、読取部分の上面が大きく開放されるので、その上に本等の原稿を手で押し付けながら搬送させて読取を行うことができる。さらに、分離片の両側に分離片保護部材を設けておくと、分離片が原稿によって左右方向に動かされることを防止でき、分離片がめくれて外れるというトラブルを防止できる。
【０００７】
【発明の実施の形態】
本発明の原稿読取装置は、装置本体と、その装置本体の上部に、装置本体に対して開閉可能に設けられた開閉部を備え、その装置本体に、原稿をセットする原稿台と、その原稿台から繰り出される原稿の下面を支持して案内するように配置され、原稿搬送経路を形成する下側原稿ガイドと、その下側原稿ガイドから外周面の一部を上方に突出させるように且つ原稿搬送方向の上流側から順に配置された給紙ローラ、送りローラ及び排出ローラと、前記送りローラと排出ローラの間で原稿下面を読み取るように配置された読取手段を設け、前記開閉部には、それを前記装置本体に対して閉位置とした時に、前記下側原稿ガイドの上方に位置してその下側原稿ガイドと共に原稿搬送経路を形成する上側原稿ガイドと、前記給紙ローラに押し付けられる分離片と、前記送りローラ及び排出ローラにそれぞれ押し付けられる押えローラを設けておき、更に、前記上側原稿ガイドを前記下側原稿ガイドの上流に上向きに位置させることができるよう、前記開閉部を前記給紙ローラよりも上流に位置する支点を中心として閉位置から約１２０°以上開くことができる構成とし、その開閉部を開いた状態において上側原稿ガイドから上方に突出している分離片の両側に、一対の分離片保護部材を、その一部が前記上側原稿ガイドから上方に、前記分離片の突出した大きさを越えて突出するように設けるものである。
【０００８】
本発明は上述構成により、開閉部を閉じた状態では、装置内に通常の原稿搬送路が形成されるので、その原稿搬送路に原稿を送って通常の原稿読取を行うことができ、開閉部を開くと、下側原稿ガイド及び上側原稿ガイドが共に上向きになって大きく開かれた状態となるので、その上に本等の原稿を手で押し当てることができ、その状態で送りローラ、排出ローラを駆動して本等の原稿を読取点を通って搬送し、本等の厚い原稿の読取を行うことができる。なお、本明細書において開閉部を開いて上側原稿ガイドを上向きとする場合における用語「上向き」とは、垂直に上方を向いた場合のみを意味するのではなく、水平よりも少し上を向いた状態を意味するものである。一般に原稿搬送路は水平に対してほぼ３０°程度傾斜しているので、開閉部を約１２０°以上開けば、上側原稿ガイドを上向きとすることができ、本発明では、前記開閉部を前記給紙ローラよりも上流に位置する支点を中心として閉位置から約１２０°以上開くことができる構成としている。また、開閉部を開いて本等の原稿を読み取る時にはその原稿を上向きになっている上側原稿ガイド及び下側原稿ガイドに押し付けるが、その際上側原稿ガイドからは分離片の一部が突出しているため、分離片保護部材を設けていないとその原稿が分離片に接触することがあり、しかもその原稿は手で取り扱われるため左右方向に動くことが多く、その場合、その原稿が分離片を左右方向に押すこととなり、分離片がめくれて外れるというトラブルが生じる恐れがある。そこで、分離片の両側に分離片保護部材を設けておくと、分離片が原稿によって左右方向に動かされることを防止でき、分離片がめくれて外れるというトラブルを防止できる。
【００１０】
また、上記した下側原稿ガイドを、送りローラを配置した部分を頂点とする山型形状とすることが好ましい。一般に、本は水平に開くと、その綴じ部分の内側（以下のど部という）が浮き上がる傾向があり、従って、下側原稿ガイドを単に平面状とし、その一部に送りローラを配置した構成とすると、本ののど部が送りローラを通過する際に、のど部の浮き上がった部分が送りローラに接触せず、送りローラによる送りが不安定となり、読取画像が悪くなるが、上述の構成とすると、本ののど部が送りローラを通過する際に、のど部の開きが小さくなり、従って浮き上がった領域が小さくなって送りローラに接触しやすくなり、送りが安定する。これにより、良好な読取を行うことができる。
【００１１】
また、上記したように、下側原稿ガイドを、送りローラを配置した部分を頂点とする山型形状とした場合において、原稿が読取点近傍に到達したことを検知するＢ点センサのアクチュエータを、回動支点が前記送りローラの上流側に位置し、原稿に接触する部分が前記送りローラの下流側に延びる構成とすることが好ましい。このように構成すると、本ののど部がアクチュエータの上を通過する際には、その本ののど部の開きが小さくなっているので、アクチュエータが誤動作して原稿無しとの誤検知を生じることが防止される。
【００１２】
また、上記した原稿読取装置において、原稿台上にセットした原稿で回動させられるアクチュエータを備え、原稿台上の原稿の有無を検出するＡ点センサを、開閉部に設けることが好ましい。このようにＡ点センサを開閉部に設けておくと、開閉部を開いて本等の原稿の読取を行う際、その原稿を押し当てる面にはＡ点センサのアクチュエータが突出しておらず、このため、本などを不用意にＡ点センサのアクチュエータにぶつけて破損させるということがない。
【００１３】
【実施例】
以下、図面に示す本発明の好適な実施例を説明する。図１は本発明をファクシミリに適用した実施例による原稿読取装置を、その開閉部を開いた状態で示す概略斜視図、図２はその原稿読取装置を、開閉部を閉じ、補助原稿台を開いた状態で示す概略斜視図、図３はその原稿読取装置を、本を読み取る状態で示す概略斜視図である。１は装置本体、２はその装置本体１の上部に、装置本体に対して開閉可能に設けられた開閉部であり、その上面に操作パネル３を備えている。４は装置本体１に対して開閉可能に設けられた補助原稿台であり、図１〜図３では開いた状態で示している。
【００１４】
図４はこの原稿読取装置の内部構成を示す概略側面図であり、６は受信情報を記録紙に記録して排出する受信記録部、７は原稿を読み取って送信する読取送信部である。図５はその読取送信部７を拡大して示す概略断面図であり、１０は複数枚の積み重ねた原稿、１１は原稿１０をセットする原稿台、１２は、その原稿台１１から繰り出される原稿の下面を支持して案内するように配置され、原稿搬送路を形成する下側原稿ガイド、１３は、その下側原稿ガイド１１から外周面の一部を上方に突出させるように配置された給紙ローラ、１４は、その給紙ローラ１３の下流において下側原稿ガイド１１から外周面の一部を上方に突出させるように配置された送りローラ、１５は、その送りローラ１４の下流において下側原稿ガイド１１から外周面の一部を上方に突出させるように配置された排出ローラ、１６は、送りローラ１４と排出ローラ１５の間に設けられた読取ガラス、１７はその読取ガラス１６上を通過する原稿の下面を読取点１８において読み取る読取手段であり、本実施例では、複数のミラー１７ａと、結像レンズ１７ｂと、光電変換素子列１７ｃ等を備えた縮小光学系を利用した読取ユニットが用いられている。２０は、下側原稿ガイド１２の上方に位置してその下側原稿ガイド１２と共に原稿搬送路を形成する上側原稿ガイド、２１は、その上側原稿ガイドから下方に突出し且つ給紙ローラ１３に押し付けられるように設けられた分離片、２２、２３はそれぞれ、上側原稿ガイド２０から外周面の一部を下方に突出させるように且つ送りローラ１４及び排出ローラ１５にそれぞれ押し付けられるように設けられた押えローラ、２４は読取ガラス１６の上方に配置された原稿押えである。この構成により、原稿台１１上に原稿１０をセットしておくと、その原稿を給紙ローラ１３と分離片２１が１枚ずつ分離して給紙し、送りローラ１４と押えローラ２２がその原稿を更に搬送し、読取手段１７が読取ガラス１６上を通過する原稿を読み取り、排出ローラ１５と押えローラ２３が読取済の原稿を排出するという動作を行うことができる。
【００１５】
ここで、原稿搬送路の下側に位置する部材、すなわち、原稿台１１、下側原稿ガイド１２、給紙ローラ１３、送りローラ１４、排出ローラ１５、読取ガラス１６、読取手段１７は装置本体１（図１参照）に取り付けられており、一方、原稿搬送路の上側に位置する部材、すなわち、上側原稿ガイド２０、分離片２１、押えローラ２２、２３、原稿押え２４は、開閉部２に取り付けられている。更に、その開閉部２は装置本体１に対して給紙ローラ１３よりも少し上流に位置する点Ｏを支点として大きく、約１６０°程度開くことができる構成となっている。かくして、この開閉部２を、図５に示す閉めた状態から約１６０°開くと、図１、図３及び図６に示すように、下側原稿ガイド１２の上方及び原稿台１１の一部の上方が大きく開放され、且つその上流に上側原稿ガイド２０が上向きとなって位置することとなり、上側原稿ガイド２０から下側原稿ガイド１２に続く原稿搬送路が形成されることとなる。この原稿搬送路は、細かく見ると凹凸があるが、全体的には、図６に一点鎖線２５で示すように大きく湾曲した形状となり、この一点鎖線２５で示す経路に沿って本等の厚い原稿を走行させることにより、原稿読取を行うことができる。例えば、図３に示すように、上向きに開いている下側原稿ガイド１２と上側原稿ガイド２０の上に本２７を手で押し当て、その本２７を送りローラ１４の回転によって搬送しながら読取を行うことができる。なお、開閉部２を開閉させる角度は、図示実施例に示すような約１６０°に限らず、適宜増減可能である。ただし、本等の原稿を下側原稿ガイド１２と上側原稿ガイド２０に押し当てて読み取る作業を容易に行うには、上側原稿ガイド２０が少なくとも垂直より少し上向きとなっていることが必要であり、更に、上側原稿ガイド２０と下側原稿ガイド１２が形成する原稿の経路２５ができるだけ平坦であることが一層望ましく、これらの作業性と装置の構造とを勘案して、開閉部２の開閉角度を定めればよい。
【００１６】
次に、上記実施例の細部を更に説明する。図５、図６から良く分かるように、下側原稿ガイド１２は、送りローラ１４を配置した部分を頂点とする山型形状に作られており、送りローラ１４の近傍に読取ガラス１６が配置されている。そして、給紙ローラ１３は、送りローラ１４と排出ローラ１５の上側の接線（読取ガラス１６の上面にほぼ接する線）の延長線よりも若干低い位置に配置されている。このように給紙ローラ１３位置を低く設定しておくと、本等の原稿を送りローラ１４と排出ローラ１５に押し付け、送りローラ１４及び排出ローラ１５の駆動によって移動させて読み取りを行う際に、給紙ローラ１３があまり邪魔にならないという利点が得られる。また、下側原稿ガイド１２を山型形状とし、その頂点部分に送りローラ１４を配置する構成とすると、図７に示すように、本２７の読み取りを行う際に、本２７ののど部２７ａが送りローラ１４上を通過する際に、その本２７ののど部２７ａの開きが小さくなり、確実に送りローラ１４に接触し、安定して送られるという利点が得られる。もし、図１２に示すように、送りローラ１４を平坦な下側原稿ガイド１２′に設けていた場合には、本２７ののど部２７ａは大きく開かれて、下側原稿ガイド１２′から大きく浮き上がる傾向があり、このため、こののど部２７ａが送りローラ１４を通過する際に、そののど部２７ａが送りローラ１４に接触せず、送りローラ１４による本２７の送りが不安定となる恐れがある。従って、本実施例ではこの問題を回避している。
【００１７】
図８において、下側原稿ガイド１２の、送りローラ１４を配置した頂点部分には、原稿が読取点近傍に到達したことを検知するＢ点センサ３０が配置されている。このＢ点センサ３０は、回動支点３１を中心として揺動するアクチュエータ３２と、そのアクチュエータ３２の動きを検知する検出器３３とを備えている。このアクチュエータ３２は、回動支点３１が送りローラ１４の上流側に位置し、原稿に接触する部分３２ａが送りローラ１４の下流側に延び、更に、その先端に下方に延びる円弧状部３２ｂとストッパ部３２ｃを有し、支点３１の反対側には検出器３３で検出されるための検出部３２ｄを有する構成である。この構成により、下側原稿ガイド１２上に原稿の無い状態では、図８（ｂ）に示すように、アクチュエータ３２の原稿に接触する部分３２ａが下側原稿ガイド１２の上方に突出しており、原稿が到達すると、その原稿で押下げられ、検出器３３を作動させることができる。
【００１８】
ここで、このアクチュエータ３２を下側原稿ガイド１２の山型の頂点部分に配置したのは、本２７を読み取る際の誤動作を回避するためである。すなわち、図１２に示すように、下側原稿ガイド１２の平坦な部分にＢ点センサ３０′のアクチュエータ３２′を配置する構成とすると、その上を本２７の大きく浮き上がったのど部２７ａが通過する際、アクチュエータ３２′が起き上がって原稿なしと判断してしまい、そのための画像の一部が欠落するという弊害が生じる恐れがある。これを防ぐにはアクチュエータ３２′の原稿に接触する部分の長さを長くする必要があるが、この部分は原稿の無い時には下側原稿ガイドの上方に長く突出することとなるので好ましくない。これに対し、本実施例では、下側原稿ガイド１２の山型の頂点部分にアクチュエータ３２を配置したことにより、図８（ａ）に示すように、その位置を通過する本２７ののど部２７ａは開きが小さくなっており、このためアクチュエータ３２の原稿に接触する部分３２ａをあまり長くしなくても、アクチュエータ３２は本２７で押された状態を保ち、起き上がることはなく、原稿無しというような誤判断を生じることがない。なお、アクチュエータ３２の先端に形成している円弧状部３２ｂは、そのアクチュエータ３２が図８（ｂ）に示すように下側原稿ガイド１２の上方に突出している時に、原稿に接触する部分３２ａのみであると、細い先端が露出した状態となってオペレータが不用意に触った時に怪我する等の危険があるので、これを避けるために設けたものである。また、ストッパ部３２ｃはアクチュエータ３２が下側原稿ガイド１２から上方に突出する量を規制するためのものである。
【００１９】
図１から良く分かるように、送りローラ１４は中央と両側に、合計３個設けられている。このため、この送りローラ１４に本２７（図３参照）を押し付けて搬送する際、本２７が幅方向の３箇所で送られることとなり、本２７の送りローラ１４に対する押し付けが不安定であっても本２７を安定して真っ直ぐに送ることができる。なお、図５に示すように、送りローラ１４と押えローラ２２で原稿をはさんで搬送する場合には、送りローラ１４は中央に１個あれば原稿を安定して搬送することができ、従って、図１から良く分かるように押えローラ２２は、中央の送りローラ１４に対応して１個のみ設けている。
【００２０】
図５において、給紙ローラ１３の上方には、原稿台１１上の原稿の有無を検出するＡ点センサ３５が設けられている。このＡ点センサ３５は、回動支点３６を中心に回動可能なアクチュエータ３７とそのアクチュエータ３７の回動を検出する検出器３８を有している。そのアクチュエータ３７は通常は自重により、原稿台１１上の原稿のセット位置内に延びており、原稿台１１上の所定位置に原稿１０を挿入した際にはその原稿１０の先端で上方に回動させられ、検出器３８を作動させるように取り付けられている。このように、Ａ点センサ３５を開閉部２に取り付けておくと、この開閉部２を、図１、図６に示すように大きく開いた時には、アクチュエータ３７は自重で上側原稿ガイド２０よりも低い位置に引っ込むこととなり、本等の原稿の読取を行う際、そのアクチュエータ３７に本などを不用意にぶつけて破損させるということが防止される。なお、従来のようにＡ点センサを原稿台１１に設けておくと、開閉部２を開いた状態では、そのＡ点センサのアクチュエータが開放された原稿台１１上に突出した状態になるため、本等の原稿の読取を行う際、そのアクチュエータに本などを不用意にぶつけて破損させるということが生じ、好ましくない。
【００２１】
図１において、開閉部２に設けられている分離片２１の両側には、一対の分離片保護部材４０が設けられている。この分離片保護部材４０は、図９〜図１１に示すように、一端の両側に支軸ピン４０ａを備えており、その支軸ピン４０ａを利用して上側原稿ガイド２０に対して回動可能に取り付けられている。更に、この分離片保護部材４０は、図１０、図１１に示すように、その一部が上側原稿ガイド２０から上方に突出するように、ばね等の適当な手段（図示せず）で押されており、且つその時の突出量は、分離片２１が上側原稿ガイド２０から突出する量よりも少し大きく設定されている。かくして、本等の原稿を読み取るに際し、その原稿を図１１に矢印Ｆで示すように斜め方向から押し付けたとしても、分離片保護部材４０がその力を受けることとなり、分離片２１に左右方向の力が加わることがなく、分離片２１がめくれて外れるということが防止される。なお、開閉部２を閉じた状態とした時には、図５に示すように分離片保護部材４０が給紙ローラ１３に接触することとなるが、この分離片保護部材４０は回動可能であるので、給紙ローラ１３に軽く押し付けられるのみであって給紙ローラ１３と分離片２１による給紙動作に干渉することはなく、逆に、原稿を給紙ローラ１３に押し付けて給紙ローラ１３による給紙を確実とする効果を有している。
【００２２】
以上の構成になる原稿読取装置では、通常は開閉部２が閉じられており、通常の読取動作が行われる。すなわち、図５において、原稿台１１上に原稿１０をセットしておくと、その原稿１０を給紙ローラ１３と分離片２１が１枚ずつ分離して給紙し、送りローラ１４と押えローラ２２がその原稿を更に搬送し、読取手段１７が読取ガラス１６上を通過する原稿を読み取り、排出ローラ１５と押えローラ２３が読取済の原稿を排出するという動作が行われる。
【００２３】
次に、装置内の原稿搬送路に通すことのできない原稿、例えば本を読み取る場合には、開閉部２を図１、図６に示すように大きく開く。これにより、下側原稿ガイド１２及び上側原稿ガイド２０が共に大きく且つ上向きに開かれた状態となる。この状態で、図３に示すように、下側原稿ガイド１２及び上側原稿ガイド２０の上に読み取るべき本２７を手で押し当て、送りローラ１４、排出ローラ１５を回転駆動させ、本２７を搬送する。かくして、本２７が読取ガラス１６上を通過し、読取手段１７による読取が行われる。
【００２４】
【発明の効果】
以上の説明から明らかなように、本発明は、装置本体に、原稿台、下側原稿ガイド、給紙ローラ、送りローラ、排出ローラ、読取手段等を取り付け、その装置本体に対して開閉可能な開閉部に、上側原稿ガイド、分離片、押えローラを保持させ、更に、前記開閉部を前記給紙ローラよりも上流に位置する支点を中心として大きく開き、前記上側原稿ガイドを前記下側原稿ガイドの上流に上向きに配列することができる構成とし、その開閉部を開いた状態において上側原稿ガイドから上方に突出している分離片の両側に、一対の分離片保護部材を、その一部が前記上側原稿ガイドから上方に、前記分離片の突出した大きさを越えて突出するように設けることにより、開閉部を閉じた時には、通常の原稿搬送路を形成し、その原稿搬送路に原稿を送って通常の原稿読取を行うことができ、開閉部を大きく開いた時には、下側原稿ガイド及び上側原稿ガイドを共に上向きの状態とし、その上に本等の原稿を手で押し当て、その原稿を送りローラ、排出ローラによって搬送することで本等の原稿の読取を行うことができ、簡単な操作によって、本等の厚い原稿の読み取りを行うことができるという効果を有している。また、本等の厚い原稿の読み取りのために、読取手段を装置本体から取り外すという必要がないので、その分装置の構造が簡単となり、コストダウンを図ることができるという効果も有している。さらに、上側原稿ガイドに本等の原稿を押し付ける際に、その原稿が左右方向に動いたとしても、その原稿は分離片保護部材に接触するのみで、分離片がその原稿で左右に動かされることはほとんどなく、このため、分離片がめくれて外れるということを防止できる効果が得られる。
【００２６】
また、上記した下側原稿ガイドを、送りローラを配置した部分を頂点とする山型形状としておくと、本の読み取りに際し、本ののど部が送りローラを通過する際に、その本ののど部の開きが小さくなっており、このため、送りローラに接触しやすくなり、送りが安定して良好な読取を行うことができるという効果が得られる。
【００２７】
更に、下側原稿ガイドを、送りローラを配置した部分を頂点とする山型形状とした場合において、原稿が読取点近傍に到達したことを検知するＢ点センサのアクチュエータを、回動支点が前記送りローラの上流側に位置し、原稿に接触する部分が前記送りローラの下流側に延びる構成としておくと、本ののど部がアクチュエータの上を通過する際には、そののど部の開きが最小となっているので、比較的短いアクチュエータを使用しながらそのアクチュエータが誤動作して原稿無しとの誤検知を生じることがないという効果が得られる。
【００２８】
また、上記した原稿読取装置において、原稿台上にセットした原稿で回動させられるアクチュエータを備えたＡ点センサを、開閉部に設けておくと、開閉部を開いて本等の原稿の読取を行う際、その原稿を押し当てる面からはＡ点センサのアクチュエータが突出しておらず、このため、本などを不用意にＡ点センサのアクチュエータにぶつけて破損させるというトラブルを回避できるという効果が得られる。
【図面の簡単な説明】
【図１】本発明の実施例の原稿読取装置を、開閉部を開いた状態で示す概略斜視図
【図２】図１に示す原稿読取装置を、開閉部を閉じ、補助原稿台を開いた状態で示す概略斜視図
【図３】図１に示す原稿読取装置を、本を読み取る状態で示す概略斜視図
【図４】図２に示す原稿読取装置の内部構成を示す概略側面図
【図５】図４に示す原稿読取装置の読取送信部を示す概略断面図
【図６】開閉部を開いた状態の読取送信部の概略断面図
【図７】図６に示す読取送信部における送りローラ及びその近傍を、送りローラ上を本ののど部が通過する状態で示す概略断面図
【図８】（ａ）はＢ点センサ及びその近傍を、本が通過中の状態で示す概略断面図
（ｂ）はＢ点センサ及びその近傍を、原稿の無い状態で示す概略断面図
【図９】分離片保護部材の概略斜視図
【図１０】図１のＡ−Ａ矢視概略断面図
【図１１】図１のＢ−Ｂ矢視概略断面図
【図１２】下側原稿ガイドを平坦面とした場合における図７と同様な概略断面図
【符号の説明】
１  装置本体
２  開閉部
３  操作パネル
４  補助原稿台
６  受信記録部
７  読取送信部
１１  原稿台
１２  下側原稿ガイド
１３  給紙ローラ
１４  送りローラ
１５  排出ローラ
１６  読取ガラス
１７  読取手段
２０  上側原稿ガイド
２１  分離片
２２  押えローラ
２３  押えローラ
２７  本
２７ａ  のど部
３０  Ｂ点センサ
３１  回動支点
３２  アクチュエータ
３３  検出器
３５  Ａ点センサ
３６  回動支点
３７  アクチュエータ
３８  検出器
【図１】
0003686483.tif 000002
【図２】
0003686483.tif 000003
【図３】
0003686483.tif 000004
【図４】
0003686483.tif 000005
【図５】
0003686483.tif 000006
【図６】
0003686483.tif 000007
【図７】
0003686483.tif 000008
【図８】
0003686483.tif 000009
【図９】
0003686483.tif 000010
【図１０】
0003686483.tif 000011
【図１１】
0003686483.tif 000012
【図１２】
0003686483.tif 000013